(57)【特許請求の範囲】
【請求項１】
複数のアンテナによりワイヤレスマイクロホンからの電波を受けて音声信号を復調するワイヤレス受信機であって、
前記複数のアンテナにそれぞれ対応し、各アンテナにより受信した受信信号強度を検出電圧としてそれぞれ出力する複数の受信回路と、前記複数のアンテナにより受信した受信信号の強度を点灯数により表示するインジケータと、前記受信回路ごとに検出電圧の値とインジケータの点灯数との対応関係が設定された参照テーブルと、前記複数の受信回路から出力された検出電圧の値に基づき前記参照テーブルを参照し、該参照テーブルに設定されたインジケータの点灯数をレベル信号として前記インジケータを表示させる表示手段とを備えることを特徴とするワイヤレス受信機。
【請求項２】
前記インジケータは、前記複数のアンテナのそれぞれに対応して複数設けられ、
前記表示手段は、前記受信回路ごとに前記参照テーブルを参照し、該参照テーブルに設定されたインジケータの点灯数をレベル信号として前記インジケータを表示させることを特徴とする請求項１に記載されたワイヤレス受信機。
【請求項３】
前記レベル信号を基準信号としてミュート制御を行うミュート手段を備えることを特徴とする請求項１または請求項２に記載されたワイヤレス受信機。
【請求項４】
前記レベル信号を基準信号として信号の減衰処理を行う減衰手段を備えることを特徴とする請求項１乃至請求項３のいずれかに記載されたワイヤレス受信機。
【発明の詳細な説明】
【技術分野】
【０００１】
本発明は、例えばワイヤレスマイクロホンからの電波を受けて音声信号を復調するワイヤレス受信機において、インジケータに電波受信状態を適切に表示することができるワイヤレス受信機に関する。
【背景技術】
【０００２】
ワイヤレスマイクロホンとワイヤレス受信機とは、通常１：１の関係で用いられる。すなわち、ステージなどで複数本のワイヤレスマイクロホンを同時に使用する多数波運用においては、それぞれのワイヤレスマイクロホンにおける送信周波数に同調する同じ数のワイヤレス受信機が用いられる。
【０００３】
この場合、日本の電波法によれば、例えばＢ型ワイヤレスマイクロホンで使用できる周波数帯は、特定小電力無線機器用として、８０６．１２５〜８０９．７５０ＭＨｚ内を、０．１２５ＭＨｚ単位で等差的に分けた３０チャンネルが割り当てられている。
【０００４】
ところで、各ワイヤレス受信機において受信された電波の受信状態は、インジケータに受信強度（受信レベルともいう）を表示することにより知ることができる（インジケータの点灯数により知ることができる）。このインジケータにおける表示は、理想的には受信した電波の状態に比例して表示されることが望ましい。
【０００５】
しかしながら、ダイバーシティ方式のように各ワイヤレス受信機にアンテナが複数本ある場合、各アンテナの受信回路（検出素子）における検出レベル（検出電圧）にばらつきがあるために、同じ電界強度であるにもかかわらず、インジケータにおける点灯数の表示に差異が生じるという課題があった。
【０００６】
一例を示すと、図５のグラフ（電界強度に対する検出電圧）に示すように２本のアンテナＡｎｔ＿ＡとアンテナＡｎｔ＿Ｂの受信回路の特性が異なる場合、図６に示すように各電界強度Ｅ１、Ｅ２、Ｅ３、Ｅ４、Ｅ５に対する検出電圧は異なる値となる（図６のグラフ上でアンテナＡｎｔ＿Ａの検出電圧を○、アンテナＡｎｔ＿Ｂの検出電圧を△で示す）。
【０００７】
ここで、図７の参照テーブルに示すように検出電圧（表中の数値は一例）に対するインジケータ点灯数（１〜５）が予め設定されている。そのため、アンテナＡｎｔ＿ＡとアンテナＡｎｔ＿Ｂにおいて同じ電界強度であるにもかかわらず、検出電圧が異なると、図８に示すようにインジケータの点灯数にずれが生じる虞があった。
【０００８】
アンテナごとに受信電界強度が異なるという課題に対し特許文献１には、第１のアンテナと第２のアンテナに同レベルの電界が入力されているとき、受信回路１から出力された受信電界検出信号ＲＳＳＩ（ＲＳＳＩ：Ｒｅｃｅｉｖｅｄ  Ｓｉｇｎａｌ  Ｓｔｒｅｎｇｔｈ  Ｉｎｄｉｃａｔｉｏｎ：信号受信強度）と受信回路２から出力された受信電界検出信号（ＲＳＳＩ）とが同じ電圧になるよう抵抗分圧回路の可変抵抗器を加減する受信電界強度検出回路が開示されている。
【先行技術文献】
【特許文献】
【０００９】
【特許文献１】特開平８−２２３０９７号公報
【発明の概要】
【発明が解決しようとする課題】
【００１０】
しかしながら、特許文献１に記載された発明の構成にあっては、検出特性のばらつきを、電界強度の所定の一点（調整点）で同じ検出電圧となるように調整するものであり、受信した電界強度がその調整点から離れるほど、ばらつきが大きくなるという課題があった。
即ち、前記調整点から離れた電界強度を受信した場合、各アンテナに対応するインジケータにそれぞれ表示される点灯数に差異が生じるという課題があった。
【００１１】
本発明は、前記した点に着目してなされたものであり、ワイヤレスマイクロホンからの電波を複数のアンテナより受けて音声信号を復調するワイヤレス受信機において、各アンテナより受信した受信信号の強度をインジケータに表示する際のばらつきを抑制することのできるワイヤレス受信機を提供することを目的とする。
【課題を解決するための手段】
【００１２】
前記した課題を解決するために、本発明に係るワイヤレス受信機は、複数のアンテナによりワイヤレスマイクロホンからの電波を受けて音声信号を復調するワイヤレス受信機であって、前記複数のアンテナにそれぞれ対応し、各アンテナにより受信した受信信号強度を検出電圧としてそれぞれ出力する複数の受信回路と、前記複数のアンテナにより受信した受信信号の強度を点灯数により表示するインジケータと、前記受信回路ごとに検出電圧の値とインジケータの点灯数との対応関係が設定された参照テーブルと、前記複数の受信回路から出力された検出電圧の値に基づき前記参照テーブルを参照し、該参照テーブルに設定されたインジケータの点灯数をレベル信号として前記インジケータを表示させる表示手段とを備えることに特徴を有する。
尚、前記インジケータは、前記複数のアンテナのそれぞれに対応して複数設けられ、前記表示手段は、前記受信回路ごとに前記参照テーブルを参照し、該参照テーブルに設定されたインジケータの点灯数をレベル信号として前記インジケータを表示させることが望ましい。
また、前記レベル信号を基準信号としてミュート制御を行うミュート手段を備えることが望ましい。
或いは、前記レベル信号を基準信号として信号の減衰処理を行う減衰手段を備えてもよい。
【００１３】
このような構成によれば、受信回路の互いの受信特性のずれを吸収するように、参照テーブルにおいて受信回路ごとに検出電圧とインジケータ点灯数との関係が設定されている。これにより、受信した電界強度が同じ場合には、受信特性にずれがあってもインジケータ点灯数のばらつきを防止することができる。
【発明の効果】
【００１４】
本発明に係るワイヤレス受信機によれば、各アンテナより受信した受信信号の強度をインジケータに表示する際のばらつきを抑制することができる。
【図面の簡単な説明】
【００１５】
【図１】図１は、このワイヤレス受信機のインジケータ表示部を含む全体構成を示すブロック図である。
【図２】図２は、図１のワイヤレス受信機が含む受信回路のブロック図である。
【図３】図３は、図１のワイヤレス受信機が有する参照テーブルの一例である。
【図４】図４は、図１のワイヤレス受信機が有するアンテナ（受信回路）の受信特性を示すグラフである。
【図５】図５は、ダイバーシティ方式のアンテナの受信特性を示すグラフである。
【図６】図６は、図５のグラフにおいて、２本のアンテナの受信特性の違いを説明するための図である。
【図７】図７は、従来の検出電圧とインジケータ点灯数との対応関係を設定した参照テーブルである。
【図８】図８は、アンテナごとに受信強度を表示するインジケータの例を示す図である。
【発明を実施するための形態】
【００１６】
以下、本発明の実施の形態を図面に基づき説明する。尚、以下に示す例は、送信機としてのワイヤレスマイクロホンからのＦＭＲＦ信号を受信して、音声信号を復調するワイヤレス受信機であり、図１はこのワイヤレス受信機のインジケータ表示部を含む全体構成を示すブロック図、図２は、図１が含む受信回路のブロック図である。
【００１７】
図１に示すワイヤレス受信機１の構成は、例えば２つのアンテナ２１、２２を有する所謂、ダイバーシティ方式の受信機を示す。各アンテナ２１、２２により受信されたＲＦ信号は、各アンテナの検出素子である受信回路２、３に供給される。
受信回路２，３においては、図２に示すように、それぞれ前記アンテナ２１、２２により受信されたＲＦ信号がＲＦ増幅回路１１に供給される。
【００１８】
前記ＲＦ増幅回路１１には、その入力側にＲＦ信号減衰回路としてのアッテネータ（図示せず）が備えられ、このアッテネータ（ＡＴＴ）によって前記受信アンテナ２１，２２からＲＦ増幅回路１１に加わるＲＦ信号の減衰量が選択可能に構成されている。
尚、ＲＦ増幅回路１１は、前記アッテネータ（ＡＴＴ）に代えて、ＲＦ増幅回路１１の増幅利得を調整するゲイン調整回路、例えばＡＧＣの帰還量を制御することで、減衰量を調整することもできる。
【００１９】
前記ＲＦ増幅回路１１からのＲＦ信号は、第１の周波数変換回路１２に供給される。この第１の周波数変換回路１２には、例えばＰＬＬシンセサイザーによる第１ローカル信号発振器（図示せず）からの信号が供給されて、前記ＲＦ信号と第１ローカル信号とにより第１の中間周波信号（第１ＩＦ信号）が生成される。すなわち、ＰＬＬシンセサイザーによる第１ローカル信号の選択により特定の受信周波数に対応する中間周波信号が生成されて、中間周波増幅回路１３に供給される。そして、中間周波増幅回路１３を介した第１ＩＦ信号は、第２の周波数変換回路１４に供給される。
【００２０】
第２の周波数変換回路１４には、第２ローカル信号発振器（図示せず）からの固定のローカル信号が供給されて、前記第１の中間周波信号（第１ＩＦ信号）と、第２ローカル信号とにより第２の中間周波信号（第２ＩＦ信号）が生成される。すなわち、このワイヤレス受信機は、ダブルスーパーヘテロダイン方式を採用している。
前記第２の中間周波信号（第２ＩＦ信号）は、リミッタアンプを備えた復調回路１５によって音声信号に復調され、図示しない音声処理回路に出力される。
【００２１】
一方、前記第１の中間周波信号（第１ＩＦ信号）は、ＲＳＳＩ回路１６において受信電界強度がレベル検波され、これをデジタル値に変換するためにＡＤコンバータ４、５に出力される。
ここで、受信回路２、３により検出された検出電圧の値（ＡＤコンバータ４，５の出力）は、マイコン（図示せず）により図３に示す参照テーブル６（ＬＵＴ：Ｌｏｏｋ  Ｕｐ  Ｔａｂｌｅ）が参照され、その検出電圧値（が属する範囲）に対応するインジケータ点灯数の情報が表示ドライバ７に供給される（前記マイコン及び表示ドライバ７により表示手段が構成される）。
【００２２】
図３に示す参照テーブル６は、受信回路２，３の互いの受信特性のずれを吸収できるように、受信回路２、３ごとに検出電圧とインジケータ点灯数との対応が設定されている。即ち、図４のグラフに示すように、例えば電界強度Ｅ２、Ｅ３、Ｅ４、Ｅ５の場合には、アンテナ２１の受信回路２での検出電圧Ｖ２＿ａ〜Ｖ５＿ａは、アンテナ２２の受信回路３での検出電圧Ｖ２＿ｂ〜Ｖ５＿ｂと異なる値となるため、受信回路ごとに、その検出電圧に対応したインジケータ点灯数が設定されている。
このように構成された参照テーブル６を用いることにより、アンテナ２１，２２において受信した電界強度が同じ場合には、夫々に対応するインジケータにおいて同じインジケータ点灯数とすることができる。
【００２３】
表示ドライバ７は、受信回路２，３ごとに受け取ったインジケータ点灯数（レベル信号）をインジケータ８，９において点灯するように制御する。
尚、前記参照テーブル６に設定される受信回路２、３ごとの検出電圧の値は、予め、各アンテナ２１，２２（受信回路２、３）における受信特性（カーブ特性）が測定され、それらのカーブが一致するように近似計算され決定される。
【００２４】
以上のように本発明のワイヤレス受信機に係る実施の形態によれば、受信回路２，３の互いの受信特性のずれを吸収するように、参照テーブル６において受信回路２，３ごとに検出電圧とインジケータ点灯数との関係が設定されている。
これにより、受信した電界強度が同じ場合には、受信特性にずれがあってもインジケータ点灯数を同じにすることができる。
【００２５】
尚、前記実施の形態においては、各アンテナ２１、２２（受信回路２、３）にそれぞれ対応するインジケータ８、９を備える構成としたが、本発明にあっては、その構成に限定されるものではない。
例えば、１つのインジケータに対し複数のアンテナを切り換えて表示させる構成にも本発明を適用することができる。
【００２６】
また、前記実施の形態においては、２本のアンテナを備える構成を例に説明したが、本発明にあっては、その構成に限定されるものではない。例えば、４本のアンテナ及びその受信回路を備える構成にも適用することができる。
【００２７】
また、前記実施の形態においては、補正されたＡＤコンバータ４，５の出力をインジケータのみに使用するものとしたが、それに限らず、電界強度の検出ばらつきを抑えられることから、この電圧値（レベル信号）を利用して（基準信号として）、ばらつきのない制御を行うことができる。例えば、信号の減衰手段であるアッテネータ（ＡＴＴ）の制御を各アンテナ毎（各信号系統毎）に行う、或いは、ミュート制御を各アンテナ毎（各信号系統毎）に行うことができ、容易にそれらのばらつきの低減を実現することができる。
【符号の説明】
【００２８】
１            ワイヤレス受信機
２            受信回路
３            受信回路
４            ＡＤコンバータ
５            ＡＤコンバータ
６            参照テーブル
７            表示ドライバ（表示手段）
８            インジケータ
９            インジケータ
１１          ＲＦ増幅回路
１２          第１の周波数変換回路
１３          中間周波増幅回路
１４          第２の周波数変換回路
２１，２２    アンテナ
【図１】
0006563304.tif 000002
【図２】
0006563304.tif 000003
【図３】
0006563304.tif 000004
【図４】
0006563304.tif 000005
【図５】
0006563304.tif 000006
【図６】
0006563304.tif 000007
【図７】
0006563304.tif 000008
【図８】
0006563304.tif 000009